(57)【特許請求の範囲】
【請求項１】
建物の屋外側に建物用設備としての蓄電池を設置するための建物用設備設置構造であって、
前記建物の建物本体下部の建物基礎に隣接して、該建物基礎の設けられた地盤面より高く該建物基礎よりも低い建物用設備設置用基礎が設けられており、該建物用設備設置用基礎の上に、前記建物用設備としての蓄電池からの配線に利用可能な内部空間を有する架台を介して、前記建物用設備としての蓄電池が設置されており、
前記蓄電池は、前記内部空間を利用して前記架台の上面に固定されており、
前記架台は、前記建物用設備設置用基礎にアンカーボルトで固定されていることを特徴とする建物用設備設置構造。
【請求項２】
前記建物用設備設置用基礎の高さは、前記建物基礎の上端部よりも３０ｍｍ〜２００ｍｍ低く設定されていることを特徴とする請求項１に記載の建物用設備設置構造。
【請求項３】
前記建物基礎の上端部と前記建物の外壁との間には壁内換気用の隙間が設けられていることを特徴とする請求項１又は２に記載の建物用設備設置構造。
【請求項４】
前記建物基礎の上端部には、水切り材が設けられていることを特徴とする請求項１乃至３のいずれか１項に記載の建物用設備設置構造。
【請求項５】
前記建物用設備設置用基礎の内部に中空部を有することを特徴とする請求項１乃至４のいずれか１項に記載の建物用設備設置構造。
【請求項６】
前記建物用設備設置用基礎の内部に軽量化部材が設けられていることを特徴とする請求項１乃至４のいずれか１項に記載の建物用設備設置構造。
【発明の詳細な説明】
【技術分野】
【０００１】
本発明は、建物の屋外側に蓄電池などの建物用設備を設置するための建物用設備設置構造に関するものである。
【背景技術】
【０００２】
従来から、安定した温度環境等を考慮して、建物の屋外側に建物用設備としての蓄電池を設置することがなされている（特許文献１等を参照）。
【先行技術文献】
【特許文献】
【０００３】
【特許文献１】特開２００２−８１７６５号公報
【発明の概要】
【発明が解決しようとする課題】
【０００４】
しかしながら、特許文献１のような従来の建物用設備設置構造では、蓄電池の重量が比較的小さい場合を想定していたため、建物の外壁に設置すれば、浸水の被害を防止することができたが、近年では、建物に設置される蓄電池の大容量化が進み、その重量も大きくなってきているので、これに対応しきれなくなってきた。
【０００５】
そこで、本発明は、大容量で重量の大きな蓄電池などに対応することができる建物用設備設置構造を提供することを目的としている。
【課題を解決するための手段】
【０００６】
前記目的を達成するために、本発明の建物用設備設置構造は、建物の屋外側に建物用設備を設置するための建物用設備設置構造であって、前記建物の建物本体下部の建物基礎に隣接して、該建物基礎の設けられた地盤面より高く該建物基礎よりも低い建物用設備設置用基礎が設けられており、該建物用設備設置用基礎の上に前記建物用設備が設置されていることを特徴とする。
【０００７】
ここで、前記建物用設備は、架台を介して、前記建物用設備設置用基礎の上に設置されているとよい。
【０００８】
また、前記架台は、前記建物用設備設置用基礎にアンカーボルトで固定されているとよい。
【０００９】
さらに、前記建物基礎の上端部と前記建物の外壁との間には壁内換気用の隙間が設けられているとよい。
【００１０】
ここで、前記建物基礎の上端部には、水切り材が設けられているとよい。
【００１１】
また、前記建物用設備設置用基礎の内部に中空部を有していてもよい。
【００１２】
さらに、前記建物用設備設置用基礎の内部に軽量化部材が設けられていてもよい。
【発明の効果】
【００１３】
このような本発明の建物用設備設置構造は、建物の屋外側に建物用設備を設置するための蓄電池設置構造であって、建物の建物本体下部の建物基礎に隣接して、建物基礎の設けられた地盤面より高く建物基礎よりも低い建物用設備設置用基礎が設けられており、建物用設備設置用基礎の上に建物用設備が設置された構成とされている。
【００１４】
こうした構成なので、建物用設備設置用基礎が建物用設備をしっかりと支持するため、大容量で重量の大きな蓄電池などの建物用設備に対応することができる。
【００１５】
また、建物用設備が設置される位置が地盤面よりも高くなるため、浸水の被害を防止することができるうえに、建物用設備設置用基礎は建物基礎よりも低いため、建物基礎と建物本体の外壁との間に、水切り材や化粧材などを通常通り取り付けることができ、さらに建物用設備設置用基礎から建物本体に雨水が流れ込むこともない。
【００１６】
ここで、建物用設備は、架台を介して、建物用設備設置用基礎の上に設置されている場合は、この架台の高さ分、さらに建物用設備が設置される位置が地盤面よりも高くなるうえに、この架台の内部の空間を利用して建物用設備からの配線等を容易に行うことができる。
【００１７】
また、架台は、建物用設備設置用基礎にアンカーボルトで固定されている場合は、架台に大きな引抜耐力を持たせることができるので、地震などによる大きな揺れがあっても、建物用設備の転倒を防止することができる。
【００１８】
さらに、建物基礎の上端部と建物の外壁との間には壁内換気用の隙間が設けられている場合は、建物用設備の設置に左右されずに、壁内換気が行え、建物本体の健全性を保つことができる。
【００１９】
ここで、建物基礎の上端部には、水切り材が設けられている場合は、壁内換気用の隙間から雨水が流れ込むことをより抑制することができる。
【００２０】
また、建物用設備設置用基礎の内部に中空部を有する場合は、建物用設備設置用基礎の軽量化を図ることができる。
【００２１】
さらに、建物用設備設置用基礎の内部に軽量化部材が設けられている場合は、建物用設備設置用基礎の軽量化及び耐力の向上を図ることができる。
【図面の簡単な説明】
【００２２】
【図１】実施例１の建物用設備設置構造を備えた建物の概略構成を説明する説明図である。
【図２】図１の平面図である。
【図３】実施例２の建物用設備設置構造を備えた建物の概略構成を説明する説明図である。
【図４】実施例３の建物用設備設置構造を備えた建物の概略構成を説明する説明図である。
【発明を実施するための形態】
【００２３】
以下、本発明を実施するための形態を、図面に示す実施例１〜３に基づいて説明する。
【実施例１】
【００２４】
先ず、実施例１の構成について説明する。
【００２５】
図１及び図２は、実施例１の建物用設備設置構造を備えた建物１の概略構成を示している。
【００２６】
まず、この建物１は、地盤に打設された建物基礎１Ｂの上に建物本体１Ａが構築されて成る。
【００２７】
そして、建物基礎１Ｂに隣接して、内部に鉄筋（図示せず）が設けられた建物用設備設置用基礎としての蓄電池設置用基礎２が打設されて設けられている。
【００２８】
ここで、この蓄電池設置用基礎２の高さは、地盤面より３２０ｍｍ高く、建物基礎１Ｂよりも８０ｍｍ低くなるように設定されている。
【００２９】
なお、実証試験を行ったところ、この蓄電池設置用基礎２の高さは、建物基礎１Ｂよりも３０ｍｍ〜２００ｍｍ低く設定すると、建物１の外壁１１の下端部と建物基礎１Ｂの上端部との間に形成された壁内換気用の隙間３から水が浸入し難いことが確認された。
【００３０】
また、この実施例１のように、建物基礎１Ｂの上端部に水切り材４を設けると、より水が浸入し難いことも確認された。
【００３１】
そして、壁内換気用の隙間３からの換気を阻害しないように、外壁１１から間隔をあけて、蓄電池設置用基礎２の上に、架台５を介して、大容量で重量の大きな建物用設備としての蓄電池６が設置されている。
【００３２】
ここで、架台５は、アンカーボルト７，・・・により蓄電池設置用基礎２に固定されている。
【００３３】
また、蓄電池６は、その脚部が架台５の上面にボルトとナットにより固定されている。
【００３４】
なお、蓄電池設置用基礎２の下部には、支持力を大きくするための支持杭８が設けられている。
【００３５】
次に、実施例１の作用効果について説明する。
【００３６】
このような実施例１の建物用設備設置構造は、建物１の屋外側に建物用設備としての蓄電池６を設置するための建物用設備設置構造である。
【００３７】
そして、建物１の建物本体１Ａ下部の建物基礎１Ｂに隣接して、建物基礎１Ｂの設けられた地盤面より高く建物基礎１Ｂよりも低い建物用設備設置用基礎としての蓄電池設置用基礎２が設けられており、蓄電池設置用基礎２の上に蓄電池６が設置された構成とされている。
【００３８】
こうした構成なので、蓄電池設置用基礎２が蓄電池６をしっかりと支持するため、大容量で重量の大きな蓄電池６に対応することができる。
【００３９】
また、蓄電池６が設置される位置が地盤面よりも高くなるため、浸水の被害を防止することができるうえに、蓄電池設置用基礎２は建物基礎１Ｂよりも低いため、建物基礎１Ｂと建物本体１Ａの外壁１１との間に、水切り材４や化粧材（図示せず）などを通常通り取り付けることができ、さらに蓄電池設置用基礎２から建物本体１Ａに雨水が流れ込むこともない。
【００４０】
ここで、蓄電池６は、架台５を介して、蓄電池設置用基礎２の上に設置されている。
【００４１】
このため、この架台５の高さ分、さらに蓄電池６が設置される位置が地盤面よりも高くなるうえに、この架台５の内部の空間を利用して蓄電池６からの配線等を容易に行うことができる。
【００４２】
また、架台５は、蓄電池設置用基礎２にアンカーボルト７，・・・で固定されている。
【００４３】
このため、架台５に大きな引抜耐力を持たせることができるので、地震などによる大きな揺れがあっても、蓄電池６の転倒を防止することができる。
【００４４】
さらに、建物基礎１Ｂの上端部と建物１の外壁１１との間には壁内換気用の隙間３が設けられている。
【００４５】
このため、蓄電池６の設置に左右されずに、壁内換気が行え、建物本体１Ａの健全性を保つことができる。
【００４６】
ここで、建物基礎１Ｂの上端部には、水切り材４が設けられている。
【００４７】
このため、壁内換気用の隙間３から雨水が流れ込むことをより抑制することができる。
【実施例２】
【００４８】
次に、実施例２について説明する。
【００４９】
なお、実施例１で説明した内容と同一乃至均等な部分の説明については同一符号を付して説明する。
【００５０】
図３は、実施例２の建物用設備設置構造を備えた建物１の概略構成を示している。
【００５１】
この実施例２の建物用設備設置構造では、建物用設備設置用基礎としての蓄電池設置用基礎２の内部に中空部９を有することが実施例１の建物用設備設置構造と主に異なる。
【００５２】
このため、中空部９を有する分、蓄電池設置用基礎２の軽量化を図ることができる。
【００５３】
なお、他の構成及び作用効果については、実施例１と略同様であるので説明を省略する。
【実施例３】
【００５４】
次に、実施例３について説明する。
【００５５】
なお、実施例１で説明した内容と同一乃至均等な部分の説明については同一符号を付して説明する。
【００５６】
図４は、実施例３の建物用設備設置構造を備えた建物１の概略構成を示している。
【００５７】
この実施例３の建物用設備設置構造では、建物用設備設置用基礎としての蓄電池設置用基礎２の内部に軽量化部材（ＥＰＳ材）１０が設けられていることが実施例１の建物用設備設置構造と主に異なる。
【００５８】
このため、軽量化部材（ＥＰＳ材）１０を設けた分、蓄電池設置用基礎２の軽量化及び耐力（特に圧縮耐力）の向上を図ることができる。
【００５９】
なお、他の構成及び作用効果については、実施例１と略同様であるので説明を省略する。
【００６０】
以上、図面を参照して、本発明を実施するための形態を実施例１〜３に基づいて詳述してきたが、具体的な構成は、これら実施例１〜３に限らず、本発明の要旨を逸脱しない程度の設計的変更は、本発明に含まれる。
【００６１】
例えば、上記した実施例１〜３では、架台５を設けて実施したが、これに限定されず、架台５を設けずに実施してもよい。
【００６２】
また、上記した実施例１〜３では、建物用設備として、蓄電池６を用いて実施したが、これに限定されず、例えば、給湯機やエアーコンディショナの室外機などを用いて実施してもよい。
【００６３】
さらに、上記した実施例１〜３では、建物用設備設置用基礎としての蓄電池設置用基礎２を打設して実施したが、これに限定されず、例えば、建物用設備設置用基礎としての蓄電池設置用基礎２として、工場等で製造したプレキャスト部材を用いて実施してもよい。
【００６４】
また、上記した実施例１〜３では、蓄電池６自体に、特に上部や周囲の防水性を高める処理を施して実施したが、これに限定されず、例えば、蓄電池６の上部や周囲に簡単な雨除けを設けて実施してもよい。
【００６５】
さらに、上記した実施例３では、軽量化部材１０としてＥＰＳ材を用いて実施したが、これに限定されず、例えば、ＥＰＳ材に代えて土などを用いて実施してもよい。
【符号の説明】
【００６６】
１      建物
１Ａ    建物本体
１Ｂ    建物基礎
２      蓄電池設置用基礎（建物用設備設置用基礎）
３      壁内換気用の隙間
４      水切り材
５      架台
６      蓄電池（建物用設備）
７      アンカーボルト
８      支持杭
９      中空部
１０    軽量化部材
１１    外壁
【要約】
【課題】大容量で重量の大きな蓄電池などに対応することができる建物用設備設置構造を提供する。
【解決手段】建物１の屋外側に建物用設備としての蓄電池６を設置するための建物用設備設置構造であって、建物１の建物本体１Ａ下部の建物基礎１Ｂに隣接して、建物基礎１Ｂの設けられた地盤面より高く建物基礎１Ｂよりも低い建物用設備設置用基礎としての蓄電池設置用基礎２が設けられており、蓄電池設置用基礎２の上に、架台５を介して、蓄電池６が設置された構成とされている。
【選択図】図１【図１】
0005291822.tif 000002
【図２】
0005291822.tif 000003
【図３】
0005291822.tif 000004
【図４】
0005291822.tif 000005